(57)【要約】  分離型発光インクカートリッジには、インク容器、インク供給口、キャリッジ、チップ、第１係合部、第２係合部、支持部材及び表示部が備わってなる。インク容器とキャリッジはそれぞれ独立した部品として形成され、相互に着脱可能に接続される。インク容器はインク収納室を備え、インク容器の底部にはインク容器内のインクをインクジェットヘッドに供給するためのインク供給口が配置される。チップ、第１係合部、第２係合部、支持部材及び表示部はキャリッジに備えられる。分離型発光カートリッジは使用者の印刷コストを軽減し、環境にも配慮している。さらに、分離型発光カートリッジは単純な構造を有するので便利に取り付けられる。
2009505867.tif 000002
【特許請求の範囲】
【請求項１】
インク容器、インク供給口、キャリッジ、チップ、第１係合部、第２係合部、支持部品及び表示部とからなる分離型発光インクカートリッジであって、
上記インク容器と上記キャリッジはそれぞれ独立した部品として形成され、相互に着脱可能に接続され、インク容器にはインク収納室が備えられ、インク容器の底部にはインク容器内のインクをインクジェットヘッドに供給するためのインク供給口が配置され、上記チップ、第１係合部、第２係合部、支持部材及び表示部は上記キャリッジに備えられることを特徴とする分離型発光インクカートリッジ。
【請求項２】
上記第１係合部は上記キャリッジの第１側面部に配置され、該第１側面部の反対側に位置する第２側面部によって第２係合部の支持部材は弾性的に支持されることを特徴とする請求項１に記載の分離型発光インクカートリッジ。
【請求項３】
上記チップは上記キャリッジにおける第２側面部の底部の角領域に配置され、上記表示部は第２側面部の上方に配置されることを特徴とする分離型発光インクカートリッジ。
【請求項４】
上記表示部の発光体は上記チップ上に配置されることを特徴とする請求項３に記載の分離型発光インクカートリッジ。
【請求項５】
上記インク容器は、毛管状溝部によって接続されたインク供給室とインク収納室とを備え、該インク供給室の底部にはインク供給口が配置され、該インク供給室には細長状の繊維束が配置され、該繊維束はインクジェットヘッドに直接的に接触することを特徴とする請求項１〜４のいずれか１項に記載の分離型発光インクカートリッジ。
【請求項６】
上記インク容器はインクタンクであり、圧力制御弁が上記インク供給口に配置されてなることを特徴とする請求項５に記載の分離型発光インクカートリッジ。
【発明の詳細な説明】
【技術分野】
【０００１】
本発明は、分離型発光インクカートリッジに関する。
【背景技術】
【０００２】
従来技術である「液体容器及びその製造法」と題された中華人民共和国特許登録出願第２００４１０１０３４２３．２において、インクジェット記録装置の取付部分に着脱可能に取り付けられた液体容器が開示されている。その容器は、液体収納室を形成する外郭部、外郭部に収納される液体をインクジェットヘッドに供給するために外郭部に配置される供給口、取付部分の外郭部のある側面に備えられると共に第１固定部材に接続される第１係合部、取付部分の外郭部の前記ある側面の反対側に位置するもう一方の側面に備えられると共に第２固定部材に接続される第２係合部、第２係合部を移動可能に支持する支持部材、液体容器に関連する情報を格納するための情報記憶部、取付部分に備わる接点に電気的に接続する接点、発光部、及び発光部から発せられた光を液体容器の外部にガイドするための表示部から構成される。供給口は、外郭部の前記ある側面と前記もう一方の側面の間の側面に配置される。接点は、前記もう一方の側面と供給口が配置される側面との間の角領域に配置される。表示部は、使用時において液体容器の前記もう一方の側面の上部に隣接するよう配置される。
【０００３】
現在、インクカートリッジは使い捨てとしてのみ設計されており、初期設定されたチップによって詰め替えができないためインクカートリッジは再利用できない。インクカートリッジ内のインクが消耗されると、プラスチック部分、残量インク及びチップは自然には分解されず、また、新しいインクカートリッジを購入して取り付けるまで、プリンタは通常通りの使用ができないため、環境汚染に繋がると共に使用者の印刷コストが増加する。  
【発明の開示】
【発明が解決しようとする課題】
【０００４】
インクジェットインクカートリッジのコスト高、使用者の印刷コスト高の問題を解消し、環境汚染を緩和するために、本発明は使用者の印刷コストを削減し、環境汚染を緩和する分離型発光インクカートリッジを提供することを目的とする。
【０００５】
上記の技術問題を解決するための本発明における技術スキームは以下に記載される。
【０００６】
分離型発光インクカートリッジには、インク容器、インク供給口、キャリッジ、チップ、第１係合部、第２係合部、支持部材及び表示部が備えられる。インク容器とキャリッジはそれぞれ独立した部品として形成され、相互と着脱可能に接続される。インク容器はインク収納室を備え、インク容器の底部にはインク容器内のインクをインクジェットヘッドに供給するためのインク供給口が配置される。チップ、第１係合部、第２係合部、支持部材及び表示部はキャリッジに備えられる。キャリッジの第１側面部には第１係合部が備わり、第１側面部の反対側に位置する第２側面部は第２係合部の支持部材を弾性的に支持する。
【０００７】
チップは第２側面部の下部における角領域に配置され、表示部は第２側面部の上部に配置される。
【０００８】
表示部における発光体はチップ上に備わり、発光体として、例えばＬＥＤ（発光ダイオード）等が用いられる。
【０００９】
インク容器は毛管状溝部によって接続されるインク供給室とインク収納室を有する。インク供給口はインク供給室の底部に配置され、インク供給室には細長状の繊維束が配置され、繊維束はインクジェットヘッドに直接的に接触する。
【００１０】
本発明は、使用者の印刷コストを削減し、環境を考慮してチップと表示部をリサイクル可能とし、便利に取り付けられる単純な構造を提供するという利点を有する。
【発明を実施するための最良の形態】
【００１１】
本発明の上記及びその他の目的、特徴及び利点をより分かり易くするために、図面を参照とした好適な具体案が以下に説明される。  
【００１２】
図１は、インク容器３、インク供給口４、蓋部１、キャリッジ１２、チップ８、第１係合部１１、第２係合部６、支持部材５及び表示部７を含む分離型発光インクカートリッジを示す。インク容器３とキャリッジ１２はそれぞれ独立した部品として形成され、相互に着脱可能に取り付けられる。インク容器３はインク収納室３を備え、インク容器３の底部にはインク容器内のインクをインクジェットヘッドに供給するためのインク供給口４が配置される。チップ８、第１係合部１１、第２係合部６、支持部材５及び表示部７はキャリッジ１２に備えられる。第１係合部はキャリッジ１２の第１側面部９に配置され、第１側面部９の反対側に位置する第２側面部１０は第２係合部６の支持部材５を移動可能に弾性的に支持する。チップ８はキャリッジ１２の第２側面部１０の底部の角領域に配置され、表示部７は第２側面部の上部に配置される。インク容器は、毛管状溝部１５によって接続されるインク供給室１４とインク収納室１３を含んでなる。インク供給室１４の底部にはインク供給口４が配置され、インク供給室１４には細長状の繊維束２が配置され、繊維束２はインクジェットヘッドに直接的に接触する。
【００１３】
表示部の発光体はチップ８上に配置され、発光体として、例えばＬＥＤ（発光ダイオード）等が用いられる。
【図面の簡単な説明】
【００１４】
【図１】本発明の構造を示す概念的分解図である。
【符号の説明】
【００１５】
１      蓋部
２      繊維束
３      インク容器
４      インク供給口
５      支持部材
６      第２係合部
７      表示部
８      チップ
９      第１側面部
１０    第２側面部
１１    第１係合部
１２    キャリッジ
１３    インク収納室
１４    インク供給室
１５    毛管状溝部
【図１】
2009505867.tif 000003
【国際調査報告】
2009505867.tif 000004
2009505867.tif 000005
2009505867.tif 000006
2009505867.tif 000007
2009505867.tif 000008